(57)【要約】【課題】  アルバムへの画像の登録とその画像を代表画像とする設定とを簡単に行えるようにして、ユーザがアルバムの内容を代表画像から適切に想起できるようにする。【解決手段】  アルバムリストファイル１５には、画像データファイル１４−ｎが含まれるアルバムに関するアルバム情報、及び当該アルバムに属している画像データファイル１４−ｎが再生されるときの画像データファイル１４−ｎの再生順序を示す順序情報が格納されるアルバムリストファイル１５が記憶されている。ここで、上記アルバムには含まれていなかった新規な画像データファイル１４−ｎを含ませるアルバムの指定がなされたときには、当該指定されたアルバムに含まれている画像データファイル１４−ｎが再生されると当該新規な画像データファイル１４−ｎが最初に再生されるように順序情報の更新が行われる。【選択図】      図１
2005309995.tif 000002
【特許請求の範囲】
【請求項１】
画像データが属するグループに関するグループ情報と、当該グループに属している画像データが再生されるときの再生順序を示す再生順序情報と、が記憶される記憶手段と、
上記グループに属していない新規な画像データが属するグループの指定を行う指定手段と、
上記グループ情報及び上記再生順序情報の追加または変更を行う情報更新手段と、
を具備し、
上記情報更新手段は、上記指定手段によって上記新規な画像データが属するグループの指定が行われた際、上記指定されたグループの中で当該新しい画像データが最初に再生されるように上記再生順序情報を書き換える
ことを特徴とする情報管理装置。
【請求項２】
上記新規な画像データは、上記指定されたグループの代表画像として登録され、当該代表画像として最初に再生されることを特徴とする請求項１記載の情報管理装置。
【請求項３】
上記グループ情報と上記再生順序情報は、当該グループ情報と当該再生順序情報とを含む管理ファイルとして上記記憶手段に記憶されていることを特徴とする請求項１記載の情報管理装置。
【請求項４】
上記グループ情報と上記再生順序情報の少なくとも一方が変更または追加により更新された際に、当該更新されたグループを知らしめる報知手段と、
を更に具備することを特徴とする請求項１記載の情報管理装置。
【請求項５】
上記報知手段は、上記各グループからひとつずつ抽出された画像データを各グループの代表画像としてインデックス画面表示するインデックス表示手段を含み、上記書き換えられたグループの代表画像に所定の動作を意味するアイコンを重畳表示させることを特徴とする請求項４記載の情報管理装置。
【請求項６】
上記情報更新手段は、上記グループから画像データに関するグループ情報が削除された際にも情報の更新が行われることを特徴とする請求項１記載の情報管理装置。
【請求項７】
画像データが属するグループに関するグループ情報、及び当該グループに属している画像データが再生されるときの画像データの再生順序を示す順序情報をメモリに記憶させておき、
上記グループに属していない新規な画像データが属するグループの指定を取得し、
上記新規な画像データについての上記指定が取得されたとき、当該指定されたグループに属している画像データが再生されると当該新規な画像データが最初に再生されるように上記グループ情報及び上記順序情報の更新を行う、
ことを特徴とする情報管理方法。
【請求項８】
画像データが属するグループに関するグループ情報、及び当該グループに属している画像データが再生されるときの画像データの再生順序を示す順序情報をメモリに記憶させる処理と、
上記グループに属していない新規な画像データが属するグループの指定を取得する処理と、
上記新規な画像データについての上記指定が取得されたとき、当該指定されたグループに属している画像データが再生されると当該新規な画像データが最初に再生されるように上記グループ情報及び上記順序情報の更新を行う処理と、
をコンピュータに行わせるためのプログラム。
【発明の詳細な説明】
【技術分野】
【０００１】
本発明は、情報管理の技術に関し、特に、画像データを管理する技術に関する。
【背景技術】
【０００２】
最近のデジタルカメラには、撮影した画像をユーザの好みに合わせて分類し、分類された画像のデータを別個のフォルダに各々格納してアルバムとして管理する、いわゆるアルバム機能を搭載しているものがある。
このようなアルバム機能を搭載したデジタルカメラにおいて、そのカメラが保持しているアルバムを一覧表示（インデック表示）する際に、アルバムに含まれる特定の画像をそのアルバムの表紙としてアルバム毎に予め選択しておき、アルバム毎に選択された表紙画像をインデックス表示することが従来から行われている。デジタルカメラのユーザは、アルバムの表紙画像として自らが画像を選択して設定しておくことにより、インデックス表示された表紙画像を手掛かりとして各アルバムの内容を推量することができる。
【０００３】
また、この他に、画像データの管理に関し、画像データファイルをリストで管理する技術が知られている。この技術に関し、例えば特許文献１には、アルバムにおける代表画像を特定する情報を制御リストの先頭に登録することにより、そのアルバムの再生時に代表画像が最初に再生されるようにする技術が開示されている。
【０００４】
また、この他の背景技術として、特許文献２には、一連の映像（動画像）より抽出されたインデックス画像から所望の条件で選択される画像を一連の代表画像として一覧表示すると共に、代表画像のうち所定のものを表紙として扱うようにした、本型の電子映像文書を自動的に作成する技術が開示されている。
【特許文献１】特開２００１−８１４９号公報（段落［００３３］、［００６０］−［００７１］、図３、図５）
【特許文献２】特開平１１−２２４２６６号公報（請求項１、段落［００１１］−［００１５］、［００７８］、図２１−２２）
【発明の開示】
【発明が解決しようとする課題】
【０００５】
一般に、ユーザは、遠い昔に撮影した画像よりも直近に撮影した画像の方が、そのシーン内容をより詳細に記憶しているものである。また、画像を分類してアルバムへ登録する編集作業を行った後においても、ユーザは、作業の初期にアルバムへ登録したものよりも終了間際に登録した画像の方がより詳細にそのシーン内容を記憶しているのが普通である。
【０００６】
また、アルバム機能を備えているデジタルカメラには、アルバムのタイトルを表紙画像に付加することのできるものがあるが、このタイトルが適切でない場合には、表紙画像のタイトルを見てもそのアルバムの内容をユーザが想起しにくくなってしまうため、このような場合では、アルバム編集作業の終了間際に登録した画像の方が、タイトル付きの代表画像よりもユーザの記憶に鮮明に残っていることが少なくない。
【０００７】
このように、時間的に後で何らかの作業を行った画像の方がユーザの記憶により鮮明に留まっていることは多々あることから、アルバムに最後に登録する画像をそのアルバムの代表である表紙画像とすることは、ユーザの記憶とアルバムの内容との結びつきを考慮すると好ましいことである。ところが、従来技術では、新たな画像をアルバムへ登録する機能と、アルバムの表紙画像を選択して設定する機能とが独立していたため、新たな画像を表紙画像としてアルバムへ登録するためには煩雑な操作をユーザに強いることとなっていた。
【０００８】
本発明は上述した問題に鑑みてなされたものであり、その解決しようとする課題は、アルバムへの画像の登録とその画像を代表画像（表紙画像）とする設定とを簡単に行えるようにして、ユーザがアルバムの内容を代表画像から適切に想起できるようにすることである。
【課題を解決するための手段】
【０００９】
本発明の態様のひとつである情報管理装置は、画像データが属するグループに関するグループ情報と、当該グループに属している画像データが再生されるときの再生順序を示す再生順序情報と、が記憶される記憶手段と、上記グループに属していない新規な画像データが属するグループの指定を行う指定手段と、上記グループ情報及び上記再生順序情報の追加または変更を行う情報更新手段と、を具備し、上記情報更新手段は、上記指定手段によって上記新規な画像データが属するグループの指定が行われた際、上記指定されたグループの中で当該新しい画像データが最初に再生されるように上記再生順序情報を書き換えることを特徴とするものである。
【００１０】
なお、上記の情報管理装置において、上記新規な画像データは、上記指定されたグループの代表画像として登録され、当該代表画像として最初に再生されるように構成してもよい。
また、上記の情報管理装置において、上記グループ情報と上記再生順序情報は、当該グループ情報と当該再生順序情報とを含む管理ファイルとして上記記憶手段に記憶されているように構成してもよい。
【００１１】
また、上記の情報管理装置において、上記グループ情報と上記再生順序情報の少なくとも一方が変更または追加により更新された際に、当該更新されたグループを知らしめる報知手段と、を更に具備するように構成してもよい。
なお、このとき、上記報知手段は、上記各グループからひとつずつ抽出された画像データを各グループの代表画像としてインデックス画面表示するインデックス表示手段を含み、上記書き換えられたグループの代表画像に所定の動作を意味するアイコンを重畳表示させるように構成してもよい。
【００１２】
また、上記の情報管理装置において、上記情報更新手段は、上記グループから画像データに関するグループ情報が削除された際にも情報の更新が行われるように構成してもよい。
本発明の別の態様のひとつである情報管理方法は、画像データが属するグループに関するグループ情報、及び当該グループに属している画像データが再生されるときの画像データの再生順序を示す順序情報をメモリに記憶させておき、上記グループに属していない新規な画像データが属するグループの指定を取得し、上記新規な画像データについての上記指定が取得されたとき、当該指定されたグループに属している画像データが再生されると当該新規な画像データが最初に再生されるように上記グループ情報及び上記順序情報の更新を行う、ことを特徴とするものである。
【００１３】
なお、上述した情報管理方法をコンピュータに行わせるためのプログラムについても本発明に係るものである。
【発明の効果】
【００１４】
本発明は、上述した特徴を有することにより、アルバムへの画像の登録とその画像を代表画像とする設定とが簡単に行えるようになる。
【発明を実施するための最良の形態】
【００１５】
以下、本発明の実施の形態を図面に基づいて説明する。
まず、本発明の実施例であるアルバム機能の概要について、図１を参照しながら説明する。
図１は、カメラ１０とＰＣ４０とがＵＳＢ（Universal Serial Bus）バス６０を介して接続されている様子を示しており、各種のデータを相互に授受することができる。本実施形態においては、カメラ１０で撮影された画像を一旦ＰＣ４０に転送し、ＰＣ４０でその画像についてのアルバムの作成を行い、作成されたアルバムをＰＣ４０からカメラ１０へ転送する。従って、ユーザは、カメラ１０を携行していれば、ＰＣ４０がその場になくてもアルバムを鑑賞することができる。
【００１６】
図１について更に説明する。本発明を実施する情報管理装置であるカメラ１０には、着脱自在なメモリカード１１が装着されており、各種のデータをメモリカード１１に記録しておくことができる。このメモリカード１１には画像ルートフォルダ１２及びアルバムリストファイル１５が格納されており、これらはいずれもメモリカード１１の記録領域におけるルートディレクトリの直下に配置されている。
【００１７】
画像ルートフォルダ１２は、画像データファイルを格納する根元のフォルダである。カメラ１０で撮影された画像は、画像ルートフォルダ（「ＤＣＩＭ」フォルダ）１２内の画像格納フォルダ（「１００ＯＬＹＭＰ」フォルダ）１３に、画像データファイル１４−１、１４−２、…、１４−ｎ、…（以下、「１４−ｎ」と代表して示す）として格納される。
【００１８】
なお、後述するように、画像ルートフォルダ１２内には、カメラ１０で撮影された画像のみならず、アルバムに登録されている（「アルバム」と称されるグループに含まれている）画像についての画像データファイルも特に区別されることなく格納されるので、カメラ１０で撮影された画像についてのデータファイルである画像データファイル１４−ｎのファイル名がアルバムリストファイル１５に示されている撮影リスト（「ＳＨＯＴ」）１６に撮影順に追記される。従って、カメラ１０で撮影された画像をカメラ１０からＰＣ４０へ転送するときには、カメラ１０は撮影リスト１６に示されているファイル名の画像データファイル１４−ｎを画像ルートフォルダ１２内から探し出してＰＣ４０へ転送する処理を行う。ＰＣ４０では、カメラ１０から送られてきた画像データファイル１４−ｎを撮影画像データファイル４３−１、４３−２、…、４３−ｎ、…（以下、「４３−ｎ」と代表して示す）として撮影画像フォルダ（「ＭＹＣＡＭＥＲＡ」フォルダ）４２に格納する。撮影画像フォルダ４２はＰＣ４０が有しているＨＤＤ（Hard Disk Drive ）４１の記憶領域に設けられている。
【００１９】
アルバムリストファイル（「ＡＬＢＵＭ．ＰＶＭ」ファイル）１５は画像データファイル１４−ｎの各々と画像データファイル１４−ｎを含んでいる（画像データファイル１４−ｎが属している）アルバムとの関係（従属関係）を表している管理ファイルであり、各ファイルのファイル名を、そのファイルを含んでいるアルバム毎に並べたアルバムリスト１７によってその関係が表されている。このアルバムリスト１７におけるファイル名の並びにおいて、その先頭には当該アルバムの表紙に相当する表紙画像についての画像データファイルのファイル名を記すようにする。また、各アルバムのリストにおけるファイル名の並び順は、そのアルバムに含まれている画像の再生表示を行うときにおける再生順序を示す順序情報として利用され、例えば、リストの先頭にファイル名が示されるアルバムの表紙画像は、そのアルバムの再生表示を行うときにその最初に再生される。
【００２０】
なお、前述したように、アルバムリストファイル１５には撮影リスト１６も示されている。
なお、本実施形態においては、アルバムリスト１７で管理されるアルバムの個数は各々予め決められており、各アルバムには、「ＡＬＢＵＭ１」、「ＡＬＢＵＭ２」、「ＡＬＢＵＭ３」、…などと名称が定められているものとする。
【００２１】
アルバムリストファイル１５は、アルバムに含まれる画像を表している画像データファイル１４−ｎと共に、ＰＣ４０から送られてくるものである。カメラ１０は、画像データファイル１４−ｎとアルバムリストファイル１７とがＰＣ４０から送られてくると、画像データファイル１４−ｎについては画像格納フォルダ１３に格納し、アルバムリストファイル１５についてはメモリカード１１の記録領域におけるルートディレクトリの直下に上書きする。但し、このとき、撮影リスト１６は上書き前のものがそのまま保持される。また、アルバムリストファイル１５が存在しないメモリカード１１がカメラ１０に装着されたときには、カメラ１０で撮影した画像についての情報を撮影リスト１６に記す必要があるため、アルバムリストファイル１５が新たに生成されてメモリカード１１に格納される。
【００２２】
なお、説明を簡単にするため、本実施形態においてはデータ内容の異なるデータファイルのファイル名が画像ルートフォルダ１２内で重複することはないものとする。従って、撮影リスト１６及びアルバムリスト１７に示されているファイル名のみで、画像ルートフォルダ１２内の画像データファイル１４−ｎを唯一つに特定することができる。ここで、例えばファイルの作成日時やファイル名に加えてファイルの格納位置等を示す情報を撮影リスト１６及びアルバムリスト１７に示すようにして、画像ルートフォルダ１２内で画像データファイル１４−ｎのファイル名が重複していても画像データファイル１４−ｎを唯一つに特定できるようにしてもよい。
【００２３】
次に図２について説明する。同図は図１に示したカメラ１０及びＰＣ４０のハードウェア構成を示しており、（ａ）はカメラ１０の構成を、また（ｂ）はＰＣ４０の構成を、それぞれ示している。
（ａ）において、撮像処理部２３、画像処理部２４、ＲＡＭ２５、メモリＩ／Ｆ２６、表示制御部２７、ＵＳＢＩ／Ｆ２９、及びＣＰＵ３０はいずれもバス３３に接続されており、ＣＰＵ３０による管理の下で相互に各種のデータの授受を行うことができる。
【００２４】
レンズ２１によって結像された被写体像は、例えばＣＣＤ（Charge Coupled Device ）である撮像部２２によって電気信号に変換されて撮像処理部２３に入力される。撮像処理部２３では、入力された電気信号を所定の大きさまで増幅した後にアナログ−デジタル変換を行い、被写体像が表されている画像を示す画像データを出力する。
【００２５】
画像処理部２４は、撮像処理部２３から出力された画像データに対して、当該画像データで表現されている画像のγ補正やエッジ強調、ホワイトバランス補正等の画像処理を施す。また、画像データをメモリカード１１に記録する場合には、当該画像データに対してデータ圧縮処理を必要に応じて行う。更に、メモリカード１１に記録されている画像データで表されている画像の再生表示を行う場合には、メモリカード１１から読み出された画像データに対してデータ伸張処理を必要に応じて行う。
【００２６】
ＲＡＭ２５は、画像処理部２４やＣＰＵ３０が各種の処理を行う際に必要に応じて作業用として使用するランダム・アクセス・メモリである。
メモリＩ／Ｆ（インタフェース）２６はメモリカード１１をバス３３に接続するインタフェースであり、ＣＰＵ３０の管理の下でメモリカード１１に対する各種のデータの読み書きを可能とする。
【００２７】
表示処理部２７は、バス３３を経て送られてきた画像データをデジタル−アナログ変換して表示部２８へ与える。
表示部２８は例えばＬＣＤ（Liquid Crystal Display）であり、表示処理部２７に入力された画像データで表されている画像を表示する。
【００２８】
ＵＳＢ（Universal Serial Bus）Ｉ／Ｆ２９は図１に示したＵＳＢバス６０とバス３３とを接続するインタフェースであり、カメラ１０とＰＣ４０との間で各種のデータの授受を可能とする。
ＣＰＵ（Central Processing Unit ）３０はこのカメラ１０全体の動作制御を行う。
【００２９】
ＲＯＭ３１はＣＰＵ３０によって実行される制御プログラムやその実行の際に必要に応じて使用される各種のデータが格納されているリード・オンリ・メモリであり、ＣＰＵ３０はこの制御プログラムを実行することによって上述した動作制御が可能となる。
操作入力部３２はカメラ１０のユーザによって操作されるスイッチ類であり、操作の内容に対応付けられているユーザからの指示を取得してＣＰＵ３０へ渡す。
【００３０】
次に（ｂ）に示すＰＣ４０の構成について説明する。
（ｂ）において、ＣＰＵ５１、ＲＯＭ５２、ＲＡＭ５３、ＨＤＤ４１、入力部５４、データ読み取り装置５５、表示部５６、及びＵＳＢＩ／Ｆ５７はいずれもバス５８に接続されており、ＣＰＵ５１による管理の下で相互に各種のデータの授受を行うことができる。
【００３１】
ＣＰＵ５１はこのＰＣ４０全体の動作制御を行う。
ＲＯＭ５２はＣＰＵ５１によって実行される基本制御プログラムやその実行の際に必要に応じて使用される各種のデータが格納されているリード・オンリ・メモリであり、ＣＰＵ５１はこの基本制御プログラムを実行することによってＰＣ４０全体の動作制御が可能となる。
【００３２】
ＲＡＭ５３はＣＰＵ５１が各種の処理を行う際に必要に応じて作業用として使用するランダム・アクセス・メモリである。
ＨＤＤ４１は磁気ディスク記憶装置であり、前述した撮影画像データファイル４３−ｎの他、ＣＰＵ５１によって実行される各種の制御プログラムやその実行の際に必要に応じて使用される各種のデータを格納することもできる。
【００３３】
入力部５４は例えばマウス等のポインティングデバイスやキーボート装置などを有して構成されており、それらに対する操作の内容に対応付けられているユーザからの指示を取得する。
データ読取装置５５は、例えばＣＤ（Compact Disc）−ＲＯＭドライブやＤＶＤ（Digital Versatile Disc）−ＲＯＭドライブであり、ＣＤ−ＲＯＭやＤＶＤ−ＲＯＭ等の記録媒体５９に記録されている各種のデータを読み取る装置である。後述する画像管理ソフトウェアは記録媒体５９に記録されて配布される。ＰＣ４０では、データ読取装置５５で記録媒体５９からこの画像管理ソフトウェアを読み取ってＨＤＤ４１に予め格納しておき、ユーザによる当該管理ソフトウェアの実行指示が入力部５４へなされると、ＣＰＵ５１はＨＤＤ４１に格納されているこの画像管理ソフトウェアを読み出して実行する。
【００３４】
なお、記録媒体５９としてはインターネット等の通信回線に接続されているプログラムサーバとして機能するコンピュータシステムが備えている記憶装置であってもよい。この場合には、画像管理ソフトウェアを表現するデータ信号で搬送波を変調して得られる伝送信号を、プログラムサーバから伝送媒体である通信回線を通じてこのコンピュータへ伝送するようにし、ＰＣ４０にはこの通信回線との接続装置を備えてこの伝送信号を受信して復調して画像管理ソフトウェアを再現することによりこの画像管理ソフトウェアをＣＰＵ５１で実行できるようになる。
【００３５】
表示部５６はＬＣＤやＣＲＴ（Cathode Ray Tube）等であり、ＣＰＵ５１の指示に応じて所定の画像を表示する。
ＵＳＢＩ／Ｆ５７は図１に示したＵＳＢバス６０とバス５８とを接続するインタフェースであり、ＰＣ４０とカメラ１０との間で各種のデータの授受を可能とする。
【００３６】
なお、ＰＣ４０の構成は、標準的なコンピュータであれば大概のものが備えている構成である。
次に、ＰＣ４０のＣＰＵ５１によって実行される画像管理ソフトウェアについて説明する。このソフトウェアは、カメラ１０によって撮影された画像のＰＣ４０への取り込み、アルバムの作成及び編集、アルバムの表紙に相当する表紙画像の作成、アルバムのカメラ１０への転送、などの機能をＰＣ４０で提供する。以下、画像管理ソフトウェアを実行することでＣＰＵ５１によって行われる各種の制御処理について説明する。
【００３７】
まず図３について説明する。同図は撮影画像取得処理の処理内容をフローチャートで示したものである。この処理は、カメラ１０によって撮影された画像についての画像データファイル１４−ｎをカメラ１０から受け取ってＨＤＤ４１内の撮影画像フォルダ４２に撮影画像データファイル４３−ｎとして格納させる処理である。なお、この処理は、画像管理ソフトウェアが実行されているＰＣにおいて、当該処理の開始を示す指示が入力部５４に対してなされたとき、例えば、画像管理ソフトウェアの実行によって表示部５６に表示されている画面において、「画像読み込み」を示すボタン表示をポインタでクリックさせる操作が入力部５４に対してなされたときに実行が開始される。また、ＰＣ４０とカメラ１０とがＵＳＢバス６０を介して接続されたことがＣＰＵ５１によって検出されたときに自動的に開始されるようにしてもよい。
【００３８】
まず、Ｓ１０１において撮影画像の転送を要求するカメラ１０宛のデータをＵＳＢＩ／Ｆ５７から送出する処理が行われる。
カメラ１０では、ＵＳＢバス６０を介して伝送されるこの転送要求データを受信すると、メモリカード１１に格納されている撮影リスト１６を参照し、そこにファイル名の示されている画像データファイル１４−ｎを画像ルートフォルダ１２から読み出し、そして読み出された画像データファイル１４−ｎをＰＣ４０へ宛ててＵＳＢＩ／Ｆ２９から送出する処理がＣＰＵ３０によって行われる。そして、その後、撮影リスト１６にファイル名の示されている全ての画像データファイル１４−ｎの転送が完了したときには、撮影画像の転送の完了の通知を示すデータをＰＣ４０へ宛ててＵＳＢＩ／Ｆ２９から送出する処理がＣＰＵ３０によって行われる。
【００３９】
Ｓ１０２では、こうしてカメラ１０からＵＳＢバス６０を介して送られてきた画像データファイル１４−ｎをＵＳＢＩ／Ｆ５７で取得する処理が行われ、続くＳ１０３において、取得された画像データファイル１４−ｎをＨＤＤ４１内の撮影画像フォルダ４２へ撮影画像データファイル４３−ｎとして格納する処理が行われる。
【００４０】
その後、Ｓ１０４において、撮影画像の転送の完了の通知を示すデータがカメラ１０から送られてきたか否かを判定する処理が行われ、当該通知を受信した（判定結果がＹｅｓ）ならばこの撮影画像取得処理を終了する。一方、当該通知を未だ受信していない（判定結果がＮｏ）ならばＳ１０２へと処理を戻して上述した処理を繰り返す。
【００４１】
以上まで処理が撮影画像取得処理である。
次に図４及び図５について説明する。同図はアルバム操作処理の処理内容をフローチャートで示したものである。この処理は、アルバム編集、アルバムの表紙に相当する表紙画像の作成、表紙画像へのタイトル文字の合成、及びアルバムのカメラ１０への転送を行うための処理である。なお、この処理は、画像管理ソフトウェアが実行されているＰＣ４０において、当該処理の開始を示す指示が入力部５４に対してなされたとき、例えば、画像管理ソフトウェアの実行によって表示部５６に表示されている画面において、ポインタでクリックさせる操作等によってアルバムを操作する指示が入力部５４に対してなされたときに実行が開始される。
【００４２】
まず、図４のＳ１１１において、アルバム操作画面を表示部５６に表示させる処理が行われる。
アルバム操作画面を図６に例示する。なお、本実施形態においては、このとき、ＨＤＤ４１内の撮影画像フォルダ４２に格納されている撮影画像データファイル４３−ｎが読み出され、その撮影画像データファイル４３−ｎの各々によって表されている画像（この画像を「撮影画像」と称することとする）の一覧が図６における撮影画像表示部７１に表示される。
【００４３】
Ｓ１１２では、ユーザによってなされる、今回のアルバム操作の対象とするアルバムの選択の指示を入力部５４から取得する処理が行われる。なお、このアルバムの選択は、図６におけるアルバム選択表示７３に対するポインタクリック操作等によってなされる。
Ｓ１１３では、ＨＤＤ４１に格納されているフォルダのうち、前ステップの処理によって取得された指示に係るアルバムに対応するもの（このフォルダを「アルバムフォルダ」と称することとする）を参照する処理が行われる。
【００４４】
Ｓ１１４では、参照中のアルバムフォルダ内に格納されている画像データファイルを読み出し、読み出した画像データファイルで表されている画像（この画像を「アルバム画像」と称することとする）の一覧を表示部５６に表示中のアルバム操作画面に表示させる処理が行われる。図６に示す画面例では、この画像の一覧をアルバム画像表示部７２に表示させる。また、このアルバムフォルダに表紙画像の画像データファイルが含まれている場合には、この画像データファイルで表されている表紙画像を表紙画像表示部７４に表示させる。
【００４５】
Ｓ１１５では、入力部５４に対してなされた操作に対応するユーザからの指示を取得する処理が行われる。なお、図６に示す画面例においては、この指示は、画像追加指示ボタン７５、画像削除指示ボタン７６、表紙画像選択指示ボタン７７、タイトル入力指示ボタン７８、及びアルバム転送指示ボタン７９のうちのいずれかに対するクリック操作である。
【００４６】
Ｓ１１６では、Ｓ１１５の処理によって取得された指示が、図６においては画像追加指示ボタン７５に対するもの、すなわち撮影画像のアルバムへの追加の指示であったか否かを判定する処理が行われ、この判定結果がＹｅｓのときにのみ、Ｓ１１７において、指示に係る撮影画像についての画像データファイルを現在参照中のアルバムフォルダへ移動させる処理が行われる。
【００４７】
なお、図６においては、画像追加指示ボタン７５として「すべて追加」ボタンと「追加」ボタンとが設けられている。「すべて追加」ボタンは、撮影画像についての画像データファイルを現在参照中のアルバムフォルダへ移動させる指示であり、「追加」ボタンは、入力部５４に対する操作によって撮影画像のうち予め選択されていた一部の画像データファイルのみを現在参照中のアルバムフォルダへ移動させる指示である。従って、撮影画像のうち選択がされていなかったものについてはそのまま撮影画像フォルダ４２に残される。
【００４８】
また、図６に示す画面例においては、この画像データファイルの移動に併せ、指示に係る撮影画像の表示場所をアルバム画像表示部７２の画像一覧の最後尾へと撮影画像表示部７１から移動させる。
Ｓ１１８では、Ｓ１１５の処理によって取得された指示が、図６においては画像削除指示ボタン７６に対するもの、すなわちアルバム画像のアルバムからの削除の指示であったか否かを判定する処理が行われ、この判定結果がＹｅｓのときにのみ、Ｓ１１９において、指示に係るアルバム画像についての画像データファイルを現在参照中のアルバムフォルダから削除する処理が行われる。
【００４９】
なお、図６においては、画像削除指示ボタン７５のクリックは、入力部５４に対する操作によってアルバム画像のうち予め選択されていたもののみについての画像データファイルを現在参照中のアルバムフォルダから削除する指示となる。
また、図６に示す画面例においては、この画像データファイルの削除に併せ、指示に係るアルバム画像の表示をアルバム画像表示部７２の画像一覧から消去する。
【００５０】
Ｓ１２０では、Ｓ１１５の処理によって取得された指示が表紙画像の作成に関するものであるか否か、図６においては表紙画像選択指示ボタン７７若しくはタイトル入力指示ボタン７８に対するものであったか否かを判定する処理が行われ、この判定結果がＹｅｓのときにのみ、Ｓ１２１において、表紙画像処理が行われる。なお、この表紙画像作成処理の詳細は後述する。
【００５１】
処理は図５へ進み、Ｓ１２２では、図４のＳ１１５の処理によって取得された指示が、図６においてはアルバム転送指示ボタン７９に対するもの、すなわちアルバムのカメラ１０への転送の指示であったか否かを判定する処理が行われ、この判定結果がＹｅｓのときにのみ、Ｓ１２３において、アルバム転送処理が行われる。なお、このアルバム転送処理の詳細も後述する。
【００５２】
Ｓ１２４では、図４のＳ１１５の処理によって取得された指示が、このアルバム操作処理の終了を示す指示であったか否かを判定する処理が行われる。そして、この判定結果がＹｅｓのときは、Ｓ１２５において、表示部５６に表示させていたアルバム操作画面を閉じる処理が行われ、その後はこのアルバム操作処理が終了する。一方、このＳ１２４の判定結果がＮｏのときには図４のＳ１１５へ処理を戻して上述した処理を繰り返す。
【００５３】
以上までの処理がアルバム操作処理である。
次に、上述したアルバム操作処理におけるＳ１２１（図４）の処理である表紙画像作成処理について説明する。表紙画像作成処理の処理内容を図７にフローチャートで示す。
まず、Ｓ１４１において、前述したアルバム操作処理におけるＳ１１５の処理によって取得された指示が、図６においてはタイトル入力指示ボタン７８に対するもの、すなわち既に設定済みである表紙画像に対するタイトルの入力の指示であったか否かを判定する処理が行われ、この判定結果がＹｅｓならばＳ１４９に処理を進める。一方、この判定結果がＮｏ、すなわち図６においては表紙画像選択指示ボタン７７に対するものであったならば、Ｓ１４２に処理を進める。
【００５４】
Ｓ１４２では表紙画像作成画面を開く（表示部５６に表示させる）処理が行われる。表紙画像作成画面を図８に例示する。
Ｓ１４３では、現在参照中のアルバムフォルダ内の画像データファイルを全て読み出す処理が行われ、続くＳ１４４において、読み出された画像データファイルの各々で表されているアルバム画像の一覧を表示部５６で表示中の表紙画像作成画面に表示させる処理か行われる。図８の画面例においては、このアルバム画像の一覧は表紙画像候補表示部８１に表示される。ここで、これらのアルバム画像は表紙画像の候補であり、ユーザがこの中から１枚の画像を仮に選択する指示に対応する操作を入力部５４に対して行うと、その画像が表紙画像表示部８２に表示される。
【００５５】
Ｓ１４５では、参照するフォルダを変更して表紙画像の候補の画像を変更する指示を取得したか否か、図８の画面例ではフォルダ設定部８３に対するクリック等の操作によって参照するフォルダを変更する指示を取得したか否かを判定する処理が行われる。そして、この判定結果がＹｅｓならば、Ｓ１４６において、取得された指示に係るフォルダを参照する処理が行われた後、処理をＳ１４３へ戻して上述した処理を繰り返す。この処理は、アルバム操作の対象であるアルバムの表紙画像を、そのアルバムに含まれているアルバム画像以外のものから選択することを可能とするものである。一方、Ｓ１４５の判定処理の結果かＮｏならばＳ１４７に処理を進める。
【００５６】
Ｓ１４７では、表紙画像を決定する指示を取得したか否か、図８の画面例では決定ボタン８４に対する操作がなされたか否かを判定する処理が行われる。そして、この判定結果がＹｅｓならば、Ｓ１４８において、決定指示に係る画像についての画像データファイルのファイル名を表紙画像についての画像データファイル（表紙画像データファイル）として読み出してＲＡＭ５３の所定の領域へ一時的に格納する処理が行われ、続くＳ１４９においてタイトル合成処理が行われ、その後はＳ１５１に処理を進める。このタイトル合成処理の詳細は後述する。なお、図６に示したアルバム操作画面の画面例においては、このときまで表示画像表示部７４に表示していた画像がこの決定指示に係る表紙画像に入れ替えられる。
【００５７】
一方、Ｓ１４７の判定処理の結果がＮｏのときにはＳ１５０に処理を進める。
Ｓ１５０では、表紙画像作成処理をキャンセルする指示を取得したか否か、図８の画面例ではキャンセルボタン８５に対する操作がなされたか否かを判定する処理が行われる。そして、この判定結果がＹｅｓならばＳ１５１に処理を進め、この判定結果がＮｏならばＳ１４５へ処理を戻して上述した処理を繰り返す。
【００５８】
Ｓ１５１では、表示部５６に表示中の表紙画像作成画面を閉じる（消去する）処理が行われる。その後は表紙画像作成処理を終了して図４のアルバム操作処理へと処理を戻す。
以上までの処理が表紙画像作成処理である。
次に、上述した表紙画像作成処理におけるＳ１４９の処理であるタイトル合成処理について説明する。タイトル合成処理の処理内容を図９にフローチャートで示す。
【００５９】
まず、Ｓ１６１において、タイトル入力画面を開く（表示部５６に表示させる）処理が行われる。タイトル入力画面を図１０に例示する。
Ｓ１６２では、ユーザによって入力部５４に対してなされた操作に対応する文字列の入力内容を取得する処理が行われる。図１０に示す画面例では、このときに取得された文字列の内容が入力テキスト表示部８６に表示される。
【００６０】
Ｓ１６３では、文字列の入力を終了し、タイトルとする文字列を決定させる指示を取得したか否か、図１０の画面例では決定ボタン８７に対する操作がなされたか否かを判定する処理が行われる。そして、この判定結果がＹｅｓならばＳ１６５に処理を進める。一方、この判定結果がＮｏならば、Ｓ１６４において、タイトル合成処理をキャンセルする指示を取得したか否か、図１０の画面例ではキャンセルボタン８８に対する操作がなされたか否かを判定する処理が行われる。そして、この判定結果がＹｅｓならばＳ１６６に処理を進め、この判定結果がＮｏならばＳ１６２へ処理を戻して上述した処理を繰り返す。
【００６１】
Ｓ１６５では、Ｓ１６２の処理によって取得された文字列を表している文字列像を生成し、前述した表紙画像作成処理（図７）におけるＳ１４７の処理によってＲＡＭ５３の所定の領域に格納されている表紙画像データファイルで表されている表紙画像にこの生成された文字列像を重畳合成し、得られた合成画像についての画像データファイルを表紙画像データファイルとして改めてＲＡＭ５３の当該領域に格納する処理が行われる。なお、図１０の画面例では、この文字列像として、文字スタイル設定部８９で設定された形状・大きさ・色のものが生成される。
【００６２】
Ｓ１６６では、ＲＡＭ５３の所定の領域に格納されている表紙画像データファイルに所定のファイル名を付与する処理が行われ、続くＳ１６７では、この表紙画像データファイルを現在参照中のアルバムフォルダに追加して格納する処理が行われる。なお、図６に示したアルバム操作画面の画面例においては、このときまで表示画像表示部７４に表示していた画像がこの文字合成のされた表示画像へと入れ替えられる。
【００６３】
Ｓ１６８では、表示部５６に表示中のタイトル入力画面を閉じる（消去する）処理が行われる。その後はタイトル合成処理を終了して図７の表紙画像作成処理へと処理を戻す。
以上までの処理がタイトル合成処理である。このようにして表紙画像にタイトルを表す文字列の像を合成することにより、漢字等の文字のフォントデータを有していないカメラ１０であってもアルバムのタイトルの表示が可能となり、そのタイトルを表す文字も多様なスタイルのものとして表示することができる。
【００６４】
次に、前述したアルバム操作処理におけるＳ１２３（図５）の処理であるアルバム転送処理について説明する。アルバム転送処理の処理内容を図１１にフローチャートで示す。
まず、Ｓ１７１において、現在参照中のアルバムフォルダに対応するアルバムの名称を取得する処理が行われる。
【００６５】
Ｓ１７２では、カメラ１０のメモリカード１１に格納されているアルバムリストファイル１５の送出の要求を示すカメラ１０宛のデータをＵＳＢＩ／Ｆ５７から送出する処理が行われる。この送出要求を受け取ったカメラ１０において行われる処理の詳細は後述する。
【００６６】
Ｓ１７３では、上述した要求に応じてカメラ１０から送られてくるアルバムリストファイル１５をＵＳＢＩ／Ｆ５７に受信させて取得する処理が行われる。
なお、詳しくは後述するが、このとき、アルバムリストファイル１５が存在しない旨を通知するデータがカメラ１０から送られてくることもある。このデータが送られてきた場合には、Ｓ１７４において、カメラ１０にアルバムリストファイル１５が存在していたか否かを判定する処理が行われ、存在していなかったとき（判定結果がＮｏ）のときにのみ、Ｓ１７５において、アルバムリストファイル１５を新規作成する処理が行われる。
【００６７】
Ｓ１７６では、アルバムリストファイル１５内のアルバムリスト１７におけるＳ１７１の処理で取得したアルバム名のアルバムについてのリストを参照し、そのリストに示されている画像データファイルのファイル名の並びの末尾に、現在参照中のＨＤＤ４１内のアルバムフォルダに含まれている画像データファイルのファイル名を１つずつ追記する処理が行われる。
【００６８】
Ｓ１７７では、現在参照中のアルバムフォルダに表紙画像の画像データファイルが格納されているか否かを判定する処理が行われ、この判定結果がＹｅｓならばＳ１７８に、ＮｏならばＳ１８１に、それぞれ処理を進める。
Ｓ１７８では、タイトル画像の転送指示を取得していたか否かを判定する処理が行われ、この判定結果がＹｅｓならばＳ１８０に、ＮｏならばＳ１７９に、それぞれ処理を進める。なお、このタイトル画像の転送指示は、図６に示したアルバム操作画面の画面例では、アルバム表紙作成チェックボックス８０にチェックマークが付されていたか否かによって判定する。
【００６９】
Ｓ１７９では、現在参照中のアルバムフォルダに含まれている画像データファイルのうち、表紙画像についてのものを除いた全てをカメラ１０へ宛ててＵＳＢＩ／Ｆ５７から送出する処理が行われ、その後はＳ１８２に処理を進める。
Ｓ１８０では、Ｓ１７６の処理によってファイル名の追記を行ったアルバムのリストにおいて、現在参照中のアルバムフォルダに格納されている表紙画像の画像データファイルのファイル名をそのリストの先頭に移動して挿入する処理が行われる。この処理により、表紙画像の画像データファイルのファイル名がアルバムリスト１７におけるそのアルバムのリストの先頭に示されることとなる。
【００７０】
なお、このＳ１８０の処理の内容を変更し、現在参照中のアルバムフォルダに格納されている表紙画像の画像データファイルのファイル名をそのリストの末尾に移動して挿入する処理とすることにより、アルバム画像の逐次再生時に表紙画像をその最後に再生表示することができるようになる。これは、前述した処理によって作成した表紙画像をあたかもアルバムの裏表紙であるかのような感覚で扱うことを可能とするものである。
【００７１】
Ｓ１８１では、現在参照中のアルバムフォルダに含まれている画像データファイルの全てをカメラ１０へ宛ててＵＳＢＩ／Ｆ５７から送出する処理が行われる。
Ｓ１８２では、ファイル名のアルバムリスト１７への追記がされたアルバムリストファイル１５をカメラ１０へ宛ててＵＳＢＩ／Ｆ５７から送出する処理が行われ、その後はこのアルバム転送処理を終了して図５のアルバム操作処理へと処理を戻す。
【００７２】
以上までの処理がアルバム転送処理である。
次に、カメラ１０のＣＰＵ３０によって行われる制御処理について説明する。これらの処理は、いずれもＲＯＭ３１に格納されている制御プログラムをＣＰＵ３０が実行することによって実現される。
【００７３】
まず図１２にフローチャートで示すアルバム受信処理について説明する。この処理は、ＰＣ４０から送られてくるアルバムに関するデータをカメラ１０で受信するための処理であり、前述したアルバム転送処理がＰＣ４０で実行されてアルバムリストファイル１５の送出の要求を示すデータをＵＳＢＩ／Ｆ２９が受信したことがＣＰＵ３０によって検知されると開始される。
【００７４】
まず、Ｓ２０１では、メモリカード１１を探索してアルバムリストファイル１５が格納されているか否かを判定する処理が行われ、格納されているとき（判定結果がＹｅｓのとき）にはＳ２０２においてアルバムリストファイル１５を読み出してＰＣ４０へ宛ててＵＳＢＩ／Ｆ２９から送出する処理が行われ、格納されていなかったとき（判定結果がＮｏのとき）にはアルバムリストファイル１５が存在しない旨を通知するデータをＰＣ４０へ宛ててＵＳＢＩ／Ｆ２９から送出する処理が行われる。このＳ２０２若しくはＳ２０３の処理によって送出したデータは、前述したアルバム転送処理におけるＳ１７３の処理を実行しているＰＣ４０によって受信される。
【００７５】
Ｓ２０４では、Ｓ２０２若しくはＳ２０３の処理によって送出したデータに応じてＰＣ４０から送られてくるデータをＵＳＢＩ／Ｆ２９に受信させて取得する処理が行われる。
Ｓ２０５では、前ステップの処理によって取得されたデータが画像データファイルであるか否かを判定する処理が行われる。そして、この判定結果がＹｅｓのときは、Ｓ２０６において、取得した画像データファイルをメモリカード１１の画像ルートフォルダ１２内の画像格納フォルダ１３に格納する処理が行われ、その後はＳ２０４へと処理を戻して上述した処理を繰り返す。
【００７６】
一方、Ｓ２０５の判定結果がＮｏのときは、Ｓ２０７において、Ｓ２０４の処理によって取得されたデータがアルバムリストファイル１５であるか否かを判定する処理が行われる。前述したアルバム転送処理を実行しているＰＣ４０では、図１１のＳ１７９及びＳ１８１並びにＳ１８２の処理によって、転送対象である画像データファイルの送出を全て終えてからアルバムリストファイル１５が送出されるので、Ｓ２０７の判定結果がＹｅｓの場合にはＰＣ４０で実行されているアルバム転送処理は終了したとみなされ、Ｓ２０８に処理を進める。一方、Ｓ２０７の判定結果がＮｏの場合にはＳ２０４へと処理を戻して上述した処理を繰り返す。
【００７７】
Ｓ２０８では、Ｓ２０４の処理によって取得されたアルバムリストファイル１５をメモリカードのルートディレクトリの直下に上書きする処理が行われる。但し、このとき、撮影リスト１６は上書き前のアルバムリストファイル１５に示されていたものがそのまま保持される。その後はこのアルバム受信処理が終了する。
【００７８】
以上までの処理がアルバム受信処理である。
次に図１３に処理内容をフローチャートで示しているアルバム再生処理について説明する。この処理は、ＰＣ４０から送られてきたアルバムをカメラ１０で閲覧するための処理である。
【００７９】
このアルバム再生処理は、例えば、図１４（ａ）に示すような、ユーザが操作入力部３２を操作してアルバム操作に関する機能選択画面を表示部２８に表示させていたときに、操作入力部３２に対する更なる操作によって「アルバム再生」なる機能が選択されたときに開始される。
【００８０】
まず、Ｓ２１１においてアルバム選択処理が行われる。この処理はカメラ１０が保有している複数のアルバムのうちから閲覧するものを選択するための処理であり、その詳細は後述する。
Ｓ２１２では、メモリカード１１に格納されているアルバムリストファイル１５に示されているアルバムリスト１７が参照され、Ｓ２１１の処理によって選択されたアルバムに対応付けられて並べられているファイル名のうちの先頭のものを取得する処理が行われる。
【００８１】
Ｓ２１３では、直前に実行された処理によって取得されたファイル名に対応する画像データファイル１４−ｎをメモリカード１１の画像ルートフォルダ１２内から探し出して取得する処理が行われる。
Ｓ２１４では、画像処理部２４及び表示処理部２７に指示を与え、前ステップで取得されたファイルで表されている画像を表示部２８に表示させる処理が行われる。
【００８２】
Ｓ２１５では、ユーザによる操作入力部３２に対する操作によってなされる、表示部２８の表示画像を現在表示中のものからその前後のものへと変更させる指示を取得したか否かを判定する処理が行われ、この指示を取得した（判定結果がＹｅｓ）ならばＳ２１６に、この指示を取得していない（判定結果がＮｏ）ならばＳ２１７に、それぞれ処理を進める。
【００８３】
Ｓ２１６では、メモリカード１１に格納されているアルバムリストファイル１５に示されているアルバムリスト１７が参照され、Ｓ２１１の処理によって選択されたアルバムに対応付けられて並べられているファイル名のうち、Ｓ２１５の処理によって取得したと判定された指示に係る順番のものを取得する処理が行われ、その後はＳ２１３へと処理を戻して上述した処理を繰り返す。
【００８４】
Ｓ２１７では、ユーザによる操作入力部３２に対する操作によってなされる、アルバム再生の終了の指示を取得したか否かを判定する処理が行われ、この指示を取得した（判定結果がＹｅｓ）ならば、Ｓ２１８において、前述したようなアルバム操作に関する機能選択画面を再度表示させる処理が行われ、その後はこのアルバム再生処理を終了する。一方、Ｓ２１７の判定結果がＮｏならばＳ２１５へと処理を戻して上述した処理を繰り返す。
【００８５】
以上までの処理がアルバム再生処理である。
ここで、カメラ１０で行うアルバムの編集の様子について、図１５を用いて説明する。
図１５の（ａ）及び（ｂ）は、カメラ１０に格納されているアルバムのうちのひとつに画像が追加登録される前後のアルバムリスト１７の内容の例、及びそのアルバムリスト１７に基づいて表示部２８に表示される各アルバムの表紙画像の一覧表示（インデックス表示）の表示例を示している。また、（ｃ）は、（ａ）及び（ｂ）の例における表示画像と画像データファイル１４−ｎとの対応関係を示している。
【００８６】
（ａ−１）に示すアルバムリスト１７において、「ＡＬＢＵＭ２」のリストの先頭には、「Ｐ１０１００２１．ＪＰＧ」なるファイル名が示されている。前述したように、アルバムリスト１７におけるファイル名の並びの先頭には当該アルバムの表紙に相当する表紙画像についての画像データファイルのファイル名が記されるので、（ａ−２）に示されているこのアルバムリスト１７に基づいた各アルバムの表紙画像の一覧表示画面には、対応関係が（ｃ）に示されている「Ｐ１０１００２１．ＪＰＧ」の画像である花の画像が「ＡＬＢＵＭ２」の表紙画像として表示されている。
【００８７】
ここで、「ＡＬＢＵＭ２」に「Ｐ１０１００７８．ＪＰＧ」なる家の画像を追加登録する。このとき、カメラ１０では、（ｂ−１）に示すように、登録に係る家の画像である画像データファイルのファイル名「Ｐ１０１００７８．ＪＰＧ」を、アルバムリスト１７における「ＡＬＢＵＭ２」のリストの先頭に挿入するというアルバムリストの更新が行われる。すなわち、本発明に係るカメラ１０は、アルバムに画像を新たに追加登録するときに、その追加登録する画像を自動的にそのアルバムの表紙画像に設定してしまうのである。こうすることにより、アルバムへの画像の登録とその画像を代表画像にする設定とを別個に行わずに済むようになり、それだけ登録・設定のための操作手順が簡単になる。
【００８８】
このように、「Ｐ１０１００７８．ＪＰＧ」がアルバムリスト１７における「ＡＬＢＵＭ２」のリストの先頭に挿入されたので、（ｂ−２）に示されているこのアルバムリスト１７に基づいた各アルバムの表紙画像の一覧表示画面には、「ＡＬＢＵＭ２」の表紙画像として、「Ｐ１０１００７８．ＪＰＧ」との対応関係が（ｃ）に示されている家の画像が表示される。
【００８９】
ところで、（ｂ−２）における「ＡＬＢＵＭ２」の表紙画像である「Ｐ１０１００７８．ＪＰＧ」の家の画像には、（ｄ−１）に示すアイコンが重畳表示されている。このアイコンが表示されることにより、「ＡＬＢＵＭ２」に対して画像が追加登録されたことがユーザに対して報知される。
【００９０】
なお、本実施形態においては（ｄ−１）以外にアイコンが２種類用意されており、（ｄ−２）に示すアイコンが表紙画像に重畳されている場合には、その表紙画像に係るアルバムから画像が削除されたことを示し、（ｄ−３）に示すアイコンが表紙画像に重畳されている場合には、その表紙画像に係るアルバムに対して画像の登録・削除以外の何らかの編集（例えば画像データファイル１４−ｎのファイル名のリスト順の変更や表紙画像の切り替えなど）がなされたことを示している。
【００９１】
このようなアイコンを表紙画像に重畳表示してアルバムに対する変更作業の有無をユーザへ視覚的に報知することにより、ユーザはどのアルバムに対してどのような変更を行ったかを容易に認識することができるようになる。
以下、このようなアルバム編集動作をカメラ１０で実現するためにＣＰＵ３０によって行われる処理について説明する。
【００９２】
まず、前述したアルバム再生処理におけるＳ２１１の処理であるアルバム選択処理について説明する。
アルバム選択処理の処理内容を図１６にフローチャートで示す。
まず、Ｓ２２１において、アルバムリストファイル１５をメモリカード１１から読み出してアルバムリスト１７を参照する処理が行われる。
【００９３】
Ｓ２２２では、ユーザによる操作入力部３２に対する操作によってなされる、アルバムの表紙画像の表示部２８への表示方法についての指示の内容がどのようなものであるかを判定する処理が行われる。ここで、当該指示の内容が、図１４（ｂ）に例示するような、複数のアルバムの表紙画像を一覧表示（インデックス表示）させる指示であればＳ２２９に処理を進め、一方、当該指示の内容が、図１４（ｃ）に例示するような、アルバムの表紙画像を１枚ずつ表示（１コマ表示）させる指示であればＳ２２３に処理を進める。
【００９４】
Ｓ２２３では、アルバムリスト１７におけるアルバム名「ＡＬＢＵＭ１」についての画像データファイル１４−ｎのファイル名の並びのうちの先頭のもの、すなわちこのアルバムについての表紙画像である画像データファイル１４−ｎのファイル名を取得する処理が行われる。
【００９５】
Ｓ２２４では、直前に実行された処理によって取得されたファイル名である画像データファイル１４−ｎを、メモリカード１１の画像ルートフォルダ１２内から探し出して取得する処理が行われる。
Ｓ２２５では、画像処理部２４及び表示処理部２７に指示を与え、前ステップの処理によって取得された画像データファイル１４−ｎで表されている表紙画像を表示部２８に表示させる処理が行われる。
【００９６】
Ｓ２２６では、ユーザによる操作入力部３２に対する操作によって、表示部１８に代表画像を表示中であるアルバムとは異なる他のアルバムを選択する指示を取得したか否かを判定する処理が行われ、この指示を取得したとき（判定結果がＹｅｓとなったとき）は、Ｓ２２７においてアルバムリスト１７における当該指示に係るアルバムについての画像データファイル１４−ｎのファイル名の並びのうちの先頭のものを取得する処理が行われ、その後はＳ２２４へ処理を戻して上述した処理を繰り返す。
【００９７】
一方、Ｓ２２６においてそのような指示を取得していない（判定結果がＮｏのとき）は、Ｓ２２８において、ユーザによる操作入力部３２に対する操作によって、指示されている表紙画像のうちの１つの選択を決定させる指示を取得したか否かを判定する処理が行われる。ここで、この決定指示がなされたとき（判定結果がＹｅｓとなったとき）はこのアルバム選択処理を終了して元の処理へと処理を戻す。一方、この決定指示がなされていないとき（判定結果がＮｏのとき）はＳ２２６へ処理を戻して上述した処理を繰り返す。
【００９８】
ところで、Ｓ２２２において、アルバムの表紙画像をインデックス表示させる指示をユーザから取得したと判定したときには、Ｓ２２９において、アルバム一覧表示処理が行われる。この処理の内容は図１７にフローチャートで示している。
ここで、このアルバム一覧表示処理の処理内容について説明しておく。
【００９９】
まず、Ｓ２４１において、アルバムリスト１７における各アルバムについての画像データファイル１４−ｎのファイル名の並びのうちの先頭のものを取得する処理が行われる。なお、この先頭のファイル名は、前述したアルバム転送処理におけるＳ１８０（図１１）の処理によって、各アルバムについての表紙画像の画像データファイル１４−ｎについてのものとなっている。
【０１００】
Ｓ２４２では、前ステップの処理によって取得されたファイル名である画像データファイル１４−ｎを、メモリカード１１の画像ルートフォルダ１２内から各々探し出して取得する処理が行われる。
Ｓ２４３では、画像処理部２４及び表示処理部２７に指示を与え、前ステップの処理によって取得された画像データファイル１４−ｎで各々表されている表紙画像を表示部２８に一覧表示（インデックス表示）させる処理が行われる。なお、このとき、そのインデックス表示画面上のいずれかの表紙画像を囲む選択枠を併せて表示させる。この選択枠は、ユーザによる表紙画像の選択の様子をインデックス表示画面上で特定するためのものである。
【０１０１】
Ｓ２４４では、アルバムリスト１７において各アルバムに与えられているアルバムの名称（「ＡＬＢＵＭ１」、「ＡＬＢＵＭ２」、「ＡＬＢＵＭ３」、…）のうちの番号部分を取得し、変数Ｘ［ｉ］（ｉ＝１、２、…）にひとつずつ代入する処理が行われる。
Ｓ２４５では、アルバムリスト１７における各アルバムのリストに登録されている画像の枚数を計数し、計数結果を変数Ａ（Ｘ［ｉ］）に各々代入する処理が行われる。
【０１０２】
Ｓ２４６では、アルバムリスト１７における各アルバムに対して登録可能な画像の最大枚数を求め、得られた最大枚数値を変数Ｂ（Ｘ［ｉ］）に各々代入する処理が行われる。
Ｓ２４７では、画像処理部２４及び表示処理部２７に指示を与えて、前述した選択枠が表示されている表紙画像に対応するアルバム、及びそのアルバムについてのアルバム番号に近い番号のアルバムについて、それらのアルバムの名称と、それらのアルバムについての上述した変数Ａ（Ｘ［ｉ］）及びＢ（Ｘ［ｉ］）の値とを、「アルバムＸ」及び「Ａ／Ｂ」という表記で表示部２８のインデックス表示の右側に表示させる処理が行われる。
【０１０３】
Ｓ２４８では、前ステップの処理によって行われた表示のうち、前述した選択枠が表示されている表紙画像に対応するアルバムについての表示の表示色を変更する処理が行われる。なお、この処理においては、表示色を変更する代わりに、文字フォントの形状・大きさ等を変更するようにしてもよい。
【０１０４】
Ｓ２４９では、アルバムリスト１７における各アルバムのリストのいずれかに対し、直近にアルバムの閲覧を行ってから後に何らかの変更が加えられたか否かを判定する処理が行われる。ここで、何らかの変更が加えられていたと判定された（判定結果がＹｅｓ）ならばＳ２５０に処理を進め、何らの変更も加えられていないと判定された（判定結果がＮｏ）ならばこのアルバム一覧表示処理を終了して元の処理へと処理を戻す。
【０１０５】
Ｓ２５０では、前ステップの処理によって検出された変更の内容がどのようなものであったかを判定する処理が行われる。ここで、いずれかのアルバムリストに対して新たに画像データファイル１４−ｎのファイル名が追加登録されたと判定されたのであればＳ２５１に処理を進める。また、ここで、いずれかのアルバムリストから画像データファイル１４−ｎのファイル名が削除されたと判定されたのであればＳ２５２に処理を進める。また、ここで、いずれかのアルバムリストに対して登録・削除以外の何らかの編集（例えば画像データファイル１４−ｎのファイル名のリスト順の変更など）がされたと判定されたのであればＳ２５３に処理を進める。
【０１０６】
Ｓ２５１では、画像処理部２４及び表示処理部２７に指示を与えて、表示部２８に現在表示中であるインデックス表示画面上における表紙画像のうち、画像データファイル１４−ｎのファイル名がアルバムリストに追加登録されたアルバムについてのものに対し、画像の「追加あり」を表しているアイコン（図１５（ｄ−１））を重畳合成して表示させる処理が行われ、その後はこのアルバム一覧表示処理を終了して元の処理へと処理を戻す。
【０１０７】
Ｓ２５２では、画像処理部２４及び表示処理部２７に指示を与えて、表示部２８に現在表示中であるインデックス表示画面上における表紙画像のうち、画像データファイル１４−ｎのファイル名がアルバムリストから削除されたアルバムについてのものに対し、画像の「削除あり」を表しているアイコン（図１５（ｄ−２））を重畳合成して表示させる処理が行われ、その後はこのアルバム一覧表示処理を終了して元の処理へと処理を戻す。
【０１０８】
Ｓ２５３では、画像処理部２４及び表示処理部２７に指示を与えて、表示部２８に現在表示中である一覧表示画面上における表紙画像のうち、アルバムリストに対する登録・削除以外の何らかの編集がされたアルバムについてのものに対し、画像の「編集あり」を表しているアイコン（図１５（ｄ−３））を重畳合成して表示させる処理が行われ、その後はこのアルバム一覧表示処理を終了して元の処理へと処理を戻す。
【０１０９】
以上までの処理がアルバム一覧表示処理である。
図１６のＳ２２９におけるアルバム一覧表示処理が行われた後の処理の説明へ戻る。
Ｓ２３０では、ユーザによる操作入力部３２に対する操作によって、表示部２８に一覧表示されている表紙画像に対する選択を変更する指示（すなわち、前述した選択枠を異なる表紙画像へ移動させる指示）がなされたか否かを判定する処理が行われ、この指示がなされたと判定された（判定結果がＹｅｓ）ならばＳ２３１に処理を進め、一方、この指示がなされていないと判定されたとき（判定結果がＮｏのとき）はＳ２３３に処理を進める。
【０１１０】
Ｓ２３１では、画像処理部２４及び表示処理部２７に指示を与えて、新たに選択枠が表示された表紙画像に対応するアルバム、及びそのアルバムについてのアルバム番号に近い番号のアルバムについて、それらのアルバムの名称と、それらのアルバムについての上述した変数Ａ（Ｘ［ｉ］）及びＢ（Ｘ［ｉ］）の値とを、「アルバムＸ」及び「Ａ／Ｂ」という表記で表示部２８のインデックス表示の右側に表示させる処理が行われる。
【０１１１】
Ｓ２３２では、前ステップの処理によって行われた表示のうち、選択枠が表示されている表紙画像に対応するアルバムについての表示の表示色を変更する処理が行われる。なお、この処理においても、表示色を変更する代わりに、文字フォントの形状・大きさ等を変更するようにしてもよい。
【０１１２】
Ｓ２３３では、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了して元の処理へと処理を戻す。一方、この決定指示がなされていないとき（判定結果がＮｏのとき）はＳ２３０へ処理を戻して上述した処理を繰り返す。
【０１１３】
以上までの処理がアルバム選択処理であり、この処理によって、図１５（ｂ−２）に示すような、一覧表示されている表紙画像へのアイコンの重畳表示が行われる。
次に、処理内容を図１８にフローチャートで示している画像アルバム登録処理について説明する。この処理は、アルバムへ、撮影画像や他のアルバムに含まれている画像を表紙画像として追加登録するための処理である。
【０１１４】
この画像アルバム登録処理は、ユーザが操作入力部３２を操作して当該処理の実行の指示がなされると開始される。
まず、Ｓ３０１において、当該指示に係る追加登録の対象である画像の所在がどこであるかを判定する処理が行われる。ここで、当該指示が撮影画像を追加登録の対象としている（例えば、図１において、撮影リスト１６には示されているがアルバムリスト１７には示されていない「Ｐ０７０」を追加登録の対象としている）と判定されたのであれば、Ｓ３０２において、メモリカード１１に格納されているアルバムリストファイル１５に含まれている撮影リスト１６を選択結果とする処理が行われ、その後はＳ３０４へと処理を進める。一方、Ｓ３０１において、当該指示がアルバムに含まれている画像を追加登録の対象としていると判定されたのであれば、Ｓ３０３において、前述したアルバム選択処理（図１６）が実行され、その実行結果としてアルバムリストファイル１５に含まれているアルバムリスト１７に示されているアルバムのうちのひとつが選択結果とされる。
【０１１５】
Ｓ３０４では対象画像特定処理が行われる。この処理は、選択されているリストに示されている画像データファイルのファイル名のうち、追加登録の対象である画像についてのものを特定するための処理であり、その処理の詳細は後述する。
Ｓ３０５では、前ステップの処理によって特定された画像を表している画像データファイル１４−ｎのファイル名を、Ｓ３０２の処理によって選択された撮影リスト１６から、若しくはアルバムリスト１７のうちＳ３０３のアルバム選択処理によって選択されたアルバムについてのリストから読み出す処理が行われる。
【０１１６】
Ｓ３０６は、前述したアルバム選択処理（図１７）が改めて実行され、その実行結果としてアルバムリストファイル１５に含まれているアルバムリスト１７に示されているアルバムのうちのひとつが選択結果とされる。
Ｓ３０７では、Ｓ３０５の処理によって読み出されたファイル名を、アルバムリスト１７のうちＳ３０６のアルバム選択処理によって選択されたアルバムについてのリスト（画像データファイル１４−ｎのファイル名の並び）の先頭に挿入する処理が行われ、そのファイル名の画像がそのアルバムの表紙画像として追加登録される。
【０１１７】
なお、このＳ３０７の処理が行われた後に前述したアルバム一覧処理（図１７）が行われたときには、Ｓ２５０の判定処理によってＳ２５１の処理が実行され、アルバムの代表画像のインデックス表示画面上に画像の「追加あり」を表しているアイコン（図１５（ｄ−１））の重畳表示が行われる。
【０１１８】
このＳ３０７の処理を終えた後にはこの画像アルバム登録処理が終了する。
以上までの処理が画像アルバム登録処理であり、この処理によって、アルバムへの新たな画像の追加登録と、その画像をそのアルバムの表紙画像とする自動設定とが行われる。
ところで、前述したアルバム再生処理では、図１３のＳ２１２、Ｓ２１３、及びＳ２１４の処理により、アルバムリスト１７における各アルバムのリストの先頭に示されているファイル名に係る画像データファイル１４−ｎについての画像が最初に表示部２８に表示再生される。一方、上述したアルバム登録処理によれば、アルバムリスト１７における各アルバムのリストの先頭には表紙画像についてのファイル名が登録される。従って、アルバム登録処理の実行後にアルバム再生処理が実行されたときには、アルバム登録処理によってアルバムへ新たに追加登録された画像（すなわちそのアルバムの表紙画像）が最初に再生表示されるようになるのである。
【０１１９】
次に、上述したアルバム登録処理におけるＳ３０４の処理である対象画像特定処理について説明する。対象画像特定処理の処理内容を図１９にフローチャートで示す。
まず、Ｓ３１１において、Ｓ３０２の処理によって選択された撮影リスト１６若しくはアルバムリスト１７のうちＳ３０３のアルバム選択処理によって選択されたアルバムについてのリストを参照する処理が行われる。
【０１２０】
Ｓ３１２では、ユーザによる操作入力部３２に対する操作によってなされる、表示部２８への画像の表示方法についての指示の内容がどのようなものであるかを判定する処理が行われる。ここで、当該指示の内容が、複数の画像を一覧表示（インデックス表示）させる指示であればＳ３１３に処理を進め、一方、当該指示の内容が、画像を１枚ずつ表示（１コマ表示）させる指示であればＳ３１８に処理を進める。
【０１２１】
Ｓ３１３では、前述した選択されたリストに示されているファイル名を順次取得する処理が行われ、続くＳ２２４では、この取得されたファイル名である画像データファイル１４−ｎを、メモリカード１１の画像ルートフォルダ１２内から各々探し出して取得する処理が行われる。
【０１２２】
Ｓ３１５では、画像処理部２４及び表示処理部２７に指示を与え、前ステップの処理によって取得された画像データファイル１４−ｎで各々表されている表紙画像を表示部２８に表示させる処理が行われる。
Ｓ３１６では、ユーザによる操作入力部３２に対する操作によって、表示部２８に一覧表示されている画像のうちの１つを選択する指示がなされたか否かを判定する処理が行われ、この指示がなされるまで（判定結果がＹｅｓとなるまで）このＳ３１７の処理を繰り返す。
【０１２３】
Ｓ３１７では、ユーザによる操作入力部３２に対する操作によって、指示されている画像のうちの１つの選択を決定させる指示を取得したか否かを判定する処理が行われ、この決定指示がなされたとき（判定結果がＹｅｓとなったとき）はこの対象画像特定処理を終了して元の処理へと処理を戻す。一方、この決定指示がなされていないとき（判定結果がＮｏのとき）はＳ３１６へ処理を戻して上述した処理を繰り返す。
【０１２４】
Ｓ３１８では、前述した選択されたリストに示されているファイル名の並びのうちの先頭のものを取得する処理が行われる。
Ｓ３１９では、直前に実行された処理によって取得されたファイル名である画像データファイル１４−ｎを、メモリカード１１の画像ルートフォルダ１２内から探し出して取得する処理が行われる。
【０１２５】
Ｓ３２０では、画像処理部２４及び表示処理部２７に指示を与え、前ステップの処理によって取得された画像データファイル１４−ｎで表されている表紙画像を表示部２８に表示させる処理が行われる。
Ｓ３２１では、ユーザによる操作入力部３２に対する操作によって、前述した選択されたリストにおいて表示部１８に表示中の画像を表している画像データファイルのファイル名の前後の順番であるファイル名の画像を選択する指示を取得したか否かを判定する処理が行われ、この指示を取得したとき（判定結果がＹｅｓとなったとき）は、Ｓ３２２において選択されているリストにおいて当該指示に係る順番のファイル名を取得する処理が行われ、その後はＳ３１９へ処理を戻して上述した処理を繰り返す。
【０１２６】
一方、Ｓ３２１においてそのような指示を取得していない（判定結果がＮｏのとき）は、Ｓ３２３において、ユーザによる操作入力部３２に対する操作によって、表示部１８に表示中の画像を選択することを決定させる指示を取得したか否かを判定する処理が行われる。ここで、この決定指示がなされたとき（判定結果がＹｅｓとなったとき）はこの対象画像特定処理を終了して元の処理へと処理を戻す。一方、この決定指示がなされていないとき（判定結果がＮｏのとき）はＳ３２１へ処理を戻して上述した処理を繰り返す。
【０１２７】
以上までの処理が対象画像特定処理である。
次に、メモリカード１１の画像ルートフォルダ１２内に格納されている画像データファイル１４−ｎの削除の手法について、図２０を用いて説明する。
図２０は、メモリカード１１にいずれも格納されている、アルバムリストファイル１５のデータ内容と画像ルートフォルダ１２内の画像データファイル１４−ｎの格納状況を示したものであり、併せて、この格納状況において撮影画像若しくはアルバム画像を表示部５８に一覧表示させた場合の表示画面を模式化して示している。
【０１２８】
図２０の（ａ）、（ｂ）、及び（ｃ）の各々において、アルバムリストファイル１５のデータ内容のうち、撮影リスト１６はその内容をそのまま示しており、アルバムリスト１７についてはそのうちの「アルバムＡ」なるアルバムについてのリストを「１７−Ａ」なる符号を付して示している。また、撮影画像一覧表示９１は、そのときの撮影リスト１６のリストの内容に基づいて表示部２８に表示される撮影画像の一覧表示画面を示しており、「アルバムＡ」の画像の一覧表示９２は、そのときの「アルバムＡ」のアルバムリスト１７−Ａのリストの内容に基づいて表示部２８に表示されるアルバム画像の一覧表示画面を示している。
【０１２９】
なお、この例においては、カメラ１０は「アルバムＡ」以外のアルバムを有していないものとする。
図２０（ａ）は、画像データファイル１４−ｎを削除する前の格納状況の例を示している。
【０１３０】
この（ａ）の例では、撮影リスト１６に示されている画像データファイル１４−ｎのファイル名の並びが「Ｐ００１、Ｐ００２、…、Ｐ００５、Ｐ００６、Ｐ００７、…、Ｐ０１２」となっており、この場合、撮影画像一覧表示９１は、これらのファイル名が付されている画像データファイル１４−ｎで表されている画像の一覧となる。また、この例では、「アルバムＡ」のアルバムリスト１７−Ａに示されている画像データファイル１４−ｎのファイル名の並びが「Ｐ００１、Ｐ００３、Ｐ００４、Ｐ００６、Ｐ００９、…、Ｐ０２０」となっており、この場合、「アルバムＡ」の画像の一覧表示９２は、これらのファイル名が付されている画像データファイル１４−ｎで表されている画像の一覧となる。このとき、画像ルートフォルダ１２内の画像格納フォルダ１３には、「Ｐ００１、Ｐ００２、Ｐ００３、Ｐ００４、Ｐ００５、Ｐ００６、Ｐ００７、…、Ｐ００９、…、Ｐ０１２」のファイル名を有している画像データファイル１４−ｎが格納されている。
【０１３１】
この（ａ）の状態において、カメラ１０のユーザからなされた「Ｐ００６」の撮影画像を削除する旨の指示に応じてメモリカード１１内のデータに対してデータ操作が行われた後の様子を示したものが（ｂ）の状態である。
この（ａ）から（ｂ）への遷移においては、「Ｐ００６」のファイル名が撮影リスト１６から削除される。従って、このときには撮影画像一覧表示９１から「Ｐ００６」の撮影画像が削除されている。しかし、（ａ）において、「Ｐ００６」はアルバム画像として「アルバムＡ」のアルバムリスト１７−Ａにも含まれているものであるから、このときには「Ｐ００６」についての画像データファイル１４−ｎの画像ルートフォルダ１２からの削除は行わない。従って、このときにおいても、「Ｐ００６」の画像表示は可能であり、現に「アルバムＡ」の画像の一覧表示９２に「Ｐ００６」の画像が表示されている。
【０１３２】
その後、この（ｂ）の状態において、カメラ１０のユーザから更になされた「Ｐ００６」のアルバム画像の削除をする旨の指示に応じてメモリカード１１内のデータに対してデータ操作が行われた後の様子を示したものが（ｃ）の状態である。
この（ｂ）から（ｃ）への遷移においては、「Ｐ００６」のファイル名が「アルバムＡ」のアルバムリスト１７−Ａからも削除される。従って、このときには「アルバムＡ」の画像の一覧表示９２からも「Ｐ００６」のアルバム画像が削除されている。この結果、「Ｐ００６」のファイル名が撮影リスト１６と「アルバムＡ」のアルバムリスト１７−Ａとのいずれにも存在しなくなる。そこで、この場合には「Ｐ００６」についての画像データファイル１４−ｎを画像ルートフォルダ１２から削除する。
【０１３３】
以上のように、撮影リスト１６とアルバムリスト１７に示されている各アルバムについてのリストとのいずれからもファイル名が存在しなくなってからそのファイル名を有する画像データファイル１４−ｎを削除するようにすることにより、同一の画像が複数のリストに重複している場合の画像データファイル１４−ｎの適切な削除が可能となる。
【０１３４】
以下、上述した画像データファイル１４−ｎの削除の手法をカメラ１０で可能にするためにＣＰＵ３０に行わせる処理について説明する。
まず図２１について説明する。同図は撮影画像削除処理の処理内容をフローチャートで示したものである。この処理は、ユーザからの撮影画像の削除指示を取得したときに、当該指示に係る撮影画像についてのファイル名を撮影リスト１６から削除すると共に、当該ファイル名がアルバムリスト１７に示されていない場合に限り当該ファイル名である画像データファイル１４−ｎを画像ルートフォルダ１２から削除する処理である。つまり、この処理により、ユーザから取得した削除指示に係る撮影画像がアルバム画像としてアルバムに含まれている場合であっても、画像データファイル１４−ｎの適切な削除が可能となる。
【０１３５】
なお、この処理は、ユーザが操作入力部３２を操作して撮影画像の削除指示がなされると開始される。
まず、Ｓ３３１において、メモリカード１１に格納されているアルバムリストファイル１５から撮影リスト１６を選択する処理が行われ、続くＳ３３２において、前述した対象画像特定処理（図１９）が実行されて削除の対象とする撮影画像が特定される。
【０１３６】
Ｓ３３３では、前ステップの処理によって特定された撮影画像のファイル名を撮影リスト１６から読み出す処理が行われる。
Ｓ３３４では、ユーザが操作入力部３２を操作して行う撮影画像の削除の実行確認の指示を取得する処理が行われ、続くＳ３３５において、この指示が削除処理のキャンセルを示すものであったか否かを判定する処理が行われる。ここで、この判定結果がＹｅｓならば、この撮影画像削除処理を直ちに終了させる。一方、この判定結果がＮｏならば、Ｓ３３６において、この指示が削除の実行を示すものであったか否かを判定する処理が行われ、この判定結果がＹｅｓとなったときにはＳ３３７へ処理を進め、Ｎｏである間はＳ３３４へ処理を戻して上述した処理を繰り返す。
【０１３７】
Ｓ３３７では、Ｓ３３３の処理によって読み出されたファイル名を、撮影リスト１６から削除する処理が行われる。
なお、このＳ３３７の処理が行われた後に前述したアルバム一覧処理（図１７）が行われたときには、Ｓ２５０の判定処理によってＳ２５２の処理が実行され、アルバムの代表画像のインデックス表示画面上に画像の「削除あり」を表しているアイコン（図１５（ｄ−２））の重畳表示が行われる。
【０１３８】
Ｓ３３８では、アルバムリストファイル１５のアルバムリスト１７における各アルバムについての画像データファイル１４−ｎのファイル名のリストの中に、Ｓ３３３の処理によって撮影リスト１６から読み出したファイル名が存在するか否かを判定する処理が行われ、当該ファイル名がアルバムリスト１７中に存在するのであれば（判定結果がＹｅｓであれば）この撮影画像削除処理をこのまま終了させる。一方、当該ファイル名がアルバムリスト１７中に存在していなければ（判定結果がＮｏであれば）、Ｓ３３９において、当該ファイル名の画像データファイル１４−ｎを画像ルートフォルダ１２内から探し出して削除する処理が行われる。その後、Ｓ３３９の処理を終えた後にはこの撮影画像削除処理を終了させる。
【０１３９】
以上までの処理が撮影画像削除処理である。
次に図２２について説明する。同図はアルバム画像削除処理の処理内容をフローチャートで示したものである。この処理は、ユーザからのアルバム画像の削除指示を取得したときに、当該指示に係るアルバム画像についてのファイル名をアルバムリスト１７から削除すると共に、当該ファイル名が撮影リスト１６とアルバムリスト１７とのいずれにも示されていない場合に限り当該ファイル名である画像データファイル１４−ｎを画像ルートフォルダ１２から削除する処理である。つまり、この処理により、ユーザから取得した削除指示に係るアルバム画像が撮影画像である場合や他のアルバムにも含まれているアルバム画像である場合であっても、画像データファイル１４−ｎの適切な削除が可能となる。
【０１４０】
このアルバム画像削除処理は、ユーザが操作入力部３２を操作して図２３の（ａ）に例示するようなアルバム操作に関する機能選択画面を表示部２８に表示させていたときに、操作入力部３２に対する更なる操作によって「登録解除」なる機能が選択されたときに開始される。
【０１４１】
まず、Ｓ３４１において、前述したアルバム選択処理（図１６）が実行されて削除対象であるアルバム画像が含まれているアルバムを選択する処理が行われる。
続くＳ３４２では、前述した対象画像特定処理（図１９）が実行されて削除の対象とする撮影画像が特定される。この対象画像特定処理におけるＳ３１５の処理によってカメラ１０の表示部２８に表示されるアルバム画像の一覧表示画面の画面例を図２３（ｂ）に示し、Ｓ３２０の処理によって表示部２８に表示されるアルバム画像の１コマ表示画面の画面例を図２３（ｃ）に示す。
【０１４２】
Ｓ３４３では、前ステップの処理によって特定されたアルバム画像のファイル名を、アルバムリスト１７におけるＳ３４１の処理によって選択されたアルバムについてのリストから読み出す処理が行われる。
Ｓ３４４では、ユーザが操作入力部３２を操作して行うアルバム画像の削除の実行確認の指示を取得する処理が行われ、続くＳ３４５において、この指示が削除処理のキャンセルを示すものであったか否かを判定する処理が行われる。ここで、この判定結果がＹｅｓならば、このアルバム画像削除処理を直ちに終了させる。一方、この判定結果がＮｏならば、Ｓ３４６において、この指示が削除の実行を示すものであったか否かを判定する処理が行われ、この判定結果がＹｅｓとなったときにはＳ３４７へ処理を進め、Ｎｏである間はＳ３４４へ処理を戻して上述した処理を繰り返す。
【０１４３】
上述したＳ３４４の処理に関し、アルバム画像の削除処理のキャンセルを指示するために表示部２８に表示させる画面を図２３（ｄ）に示し、アルバム画像の削除の実行を指示するために表示部２８に表示させる画面を図２３（ｅ）に示す。
Ｓ３４７では、Ｓ３４３の処理によって読み出されたファイル名を、アルバムリスト１７におけるＳ３４１の処理によって選択されたアルバムについてのリストから削除する処理が行われる。
【０１４４】
Ｓ３４８では、アルバムリスト１７における各アルバムについての画像データファイル１４−ｎのファイル名のリストの中に、Ｓ３４３の処理によってアルバムリスト１７から読み出したファイル名が存在するか否かを判定する処理が行われ、当該ファイル名がアルバムリスト１７中にひとつでも存在するのであれば（判定結果がＹｅｓであれば）このアルバム画像削除処理をこのまま終了させる。一方、当該ファイル名がアルバムリスト１７中にひとつも存在していなければ（判定結果がＮｏであれば）、Ｓ３４９に処理を進める。
【０１４５】
Ｓ３４９では、撮影リスト１６の中に、Ｓ３４３の処理によってアルバムリスト１７から読み出したファイル名が存在するか否かを判定する処理が行われ、当該ファイル名が存在するのであれば（判定結果がＹｅｓであれば）このアルバム画像削除処理をこのまま終了させる。一方、当該ファイル名が撮影リスト１６中に存在していなければ（判定結果がＮｏであれば）、Ｓ３５０において、当該ファイル名の画像データファイル１４−ｎを画像ルートフォルダ１２内から探し出して削除する処理が行われる。その後、Ｓ３５０の処理を終えた後にはこのアルバム画像削除処理を終了させる。
【０１４６】
以上までの処理がアルバム画像削除処理である。
なお、上述した実施形態においては、カメラ１０が撮影を行ったときには、撮影画像を表している画像データファイル１４−ｎのファイル名がアルバムリストファイル１５における撮影リスト１６のみに追記されるようにしていた。その代わりに、そのファイル名が、アルバムリストファイル１５におけるアルバムリスト１７のうちの所定のアルバムについてのリストの先頭に撮影と同時に挿入されるようにして、その撮影画像のアルバムへの登録と表紙画像としての設定とが撮影と共に完了するようにしてもよい。
【０１４７】
また、上述した実施形態においては、アルバム操作処理（図４及び図５）、表紙画像作成処理（図７）、タイトル合成処理（図９）、アルバム転送処理（図１１）などの各処理をＰＣ４０のＣＰＵ５１で行うようにしていたが、これらの処理の全部若しくは一部をカメラ１０のＣＰＵ３０で行うようにし、アルバムへの画像の追加・削除、表紙画像へのタイトル合成、アルバムリストファイル１５の新規作成などをカメラ１０で独自に行えるようにすることもできる。
【０１４８】
また、この逆に、カメラ１０のＣＰＵ３０で行っていたアルバム再生処理（図１３）、アルバム選択処理（図１６）、アルバム一覧表示処理（図１７）、画像アルバム登録処理（図１８）、対象画像特定処理（図１９）、アルバム画像削除処理（図２２）などの各処理の全部若しくは一部がＰＣ４０のＣＰＵ５１での制御プログラムの実行により行われるようにし、各アルバムの表紙画像の一覧表示（インデックス表示）、アルバムリスト１７の更新、画像のアルバムへの追加登録及び表紙画像の自動設定、アルバムからの画像の削除、アルバムに対する変更を報知するためのアイコンの表紙画像一覧表示画面への重畳表示などをＰＣ４０で独自に行えるようにすることで、本発明をＰＣ４０で実施することもできる。更に、本発明に係る情報管理装置として、カメラ１０やＰＣ４０の他に、例えば携帯電話やＰＤＡ（Personal Digital Assistant：個人向け携帯情報端末）などで本発明を実施することもできる。
【０１４９】
また、前述した実施形態においては、アルバムに対する変更がなされたことをユーザに報知するために、アルバムの表紙画像に対する図形（アイコン）の重畳表示を行っていたが、この代わりに、例えば、文字や音により報知する、あるいは表紙画像の形状・色彩等の変化により報知するようにしてもよい。
【０１５０】
その他、本発明は、上述した実施形態に限定されることなく、本発明の要旨を逸脱しない範囲内で種々の改良・変更が可能である。
【図面の簡単な説明】
【０１５１】
【図１】アルバム機能の実施例の概要を説明する図である。
【図２】図１に示したカメラ及びＰＣのハードウェア構成を示す図である。
【図３】撮影画像取得処理の処理内容を示すフローチャートである。
【図４】アルバム操作処理の処理内容を示すフローチャート（その１）である。
【図５】アルバム操作処理の処理内容を示すフローチャート（その２）である。
【図６】アルバム操作画面の画面例を示す図である。
【図７】表紙画像作成処理の処理内容を示すフローチャートである。
【図８】表紙画像作成画面の画面例を示す図である。
【図９】タイトル合成処理の処理内容を示すフローチャートである。
【図１０】タイトル入力画面の画面例を示す図である。
【図１１】アルバム転送処理の処理内容を示すフローチャートである。
【図１２】アルバム受信処理の処理内容を示すフローチャートである。
【図１３】アルバム再生処理の処理内容を示すフローチャートである。
【図１４】カメラでの表示画面例を示す図である。
【図１５】アルバムの編集の様子を説明する図である。
【図１６】アルバム選択処理の処理内容を示すフローチャートである。
【図１７】アルバム一覧表示処理の処理内容を示すフローチャートである。
【図１８】画像アルバム登録処理の処理内容を示すフローチャートである。
【図１９】対象画像特定処理の処理内容を示すフローチャートである。
【図２０】画像データファイルの削除の手法を説明する図である。
【図２１】撮影画像削除処理の処理内容を示すフローチャートである。
【図２２】アルバム画像削除処理の処理内容を示すフローチャートである。
【図２３】アルバム画像削除処理を実行中のカメラでの表示例を示す図である。
【符号の説明】
【０１５２】
１０  カメラ
１１  メモリカード
１２  画像ルートフォルダ
１３  画像格納フォルダ
１４−１、１４−２、１４−ｎ  画像データファイル
１５  アルバムリストファイル
１６  撮影リスト
１７  アルバムリスト
１７−Ａ  「アルバムＡ」のアルバムリスト
２１  レンズ
２２  撮像部
２３  撮像処理部
２４  画像処理部
２５  ＲＡＭ
２６  メモリＩ／Ｆ部
２７  表示処理部
２８  表示部
２９  ＵＳＢＩ／Ｆ
３０  ＣＰＵ
３１  ＲＯＭ
３２  操作入力部
３３  バス
４０  ＰＣ
４１  ＨＤＤ
４２  撮影画像フォルダ
４３−１、４３−２、４３−ｎ  撮影画像データファイル
５１  ＣＰＵ
５２  ＲＯＭ
５３  ＲＡＭ
５４  入力部
５５  データ読取装置
５６  表示部
５７  ＵＳＢＩ／Ｆ
５８  バス
６０  ＵＳＢバス
７１  撮影画像表示部
７２  アルバム画像表示部
７３  アルバム選択表示
７４  表紙画像表示部
７５  画像追加指示ボタン
７６  画像削除指示ボタン
７７  表紙画像選択指示ボタン
７８  タイトル入力指示ボタン
７９  アルバム転送指示ボタン
８０  アルバム表紙作成チェックボックス
８１  表紙候補画像表示部
８２  表紙画像表示部
８３  フォルダ設定部
８４  決定ボタン
８５  キャンセルボタン
８６  入力テキスト表示部
８７  決定ボタン
８８  キャンセルボタン
８９  文字スタイル設定部
９１  撮影画像一覧表示
９２  「アルバムＡ」の画像の一覧表示
【図１】
2005309995.tif 000003
【図２】
2005309995.tif 000004
【図３】
2005309995.tif 000005
【図４】
2005309995.tif 000006
【図５】
2005309995.tif 000007
【図６】
2005309995.tif 000008
【図７】
2005309995.tif 000009
【図８】
2005309995.tif 000010
【図９】
2005309995.tif 000011
【図１０】
2005309995.tif 000012
【図１１】
2005309995.tif 000013
【図１２】
2005309995.tif 000014
【図１３】
2005309995.tif 000015
【図１４】
2005309995.tif 000016
【図１５】
2005309995.tif 000017
【図１６】
2005309995.tif 000018
【図１７】
2005309995.tif 000019
【図１８】
2005309995.tif 000020
【図１９】
2005309995.tif 000021
【図２０】
2005309995.tif 000022
【図２１】
2005309995.tif 000023
【図２２】
2005309995.tif 000024
【図２３】
2005309995.tif 000025